(57)【要約】【課題】所望の強さの香りが継続的に安定して発せられるウェットティシュー製品を提供する。【解決手段】  香料を含む基材層及びこの基材層の両面に配置される被覆層を有しそれら被覆層のうち基材層の一方面側の被覆層が基材層中の香料の揮散を抑制する香料弱透過層とされ、他方面側の樹脂層が前記香料弱透過層又は基材層中の香料の揮散を防止する香料バリア層とされた、柔軟なシート状の芳香フィルムを、ウェットシートとともに容器内に収めることにより解決される。【選択図】図３
2014162545.tif 000002
【特許請求の範囲】
【請求項１】
薬液が含浸されたウェットシートを容器内に密閉収容したウェットシート製品であって、
香料を含む基材層及びこの基材層の両面に配置される被覆層を有しそれら被覆層のうち基材層の一方面側の被覆層が基材層中の香料の揮散を抑制する香料弱透過層とされ、他方面側の被覆層が前記香料弱透過層又は基材層中の香料の揮散を防止する香料バリア層とされた、シート状の芳香フィルムが、
前記容器内に前記香料弱透過層が露出された状態に設けられている、
ことを特徴とするウェットシート製品。
【請求項２】
容器内のウェットシートから離間した位置に芳香フィルムが貼付されている請求項１記載のウェットシート製品。
【請求項３】
容器が、上面にウェットシートの取り出し口と、その取り出し口を液密に閉じる開閉自在な蓋体とを備え、その蓋体の容器内面側に芳香フィルムが香料弱透過層が容器内に対面するように設けられている、請求項１又は２記載のウェットシート製品。
【請求項４】
容器が、上面にウェットシートの取り出し口と、その取り出し口を液密に閉じる開閉自在な蓋体とを備えるフィルム包装容器であり、その蓋体が芳香フィルムで形成されかつその蓋体を閉じた際に香料弱透過層が容器内に対面される、請求項１又は２記載のウェットシート製品。
【発明の詳細な説明】
【技術分野】
【０００１】
本発明は、ウェットティシューやウェットタオルなどウェットシートを容器に収めたウェットシート製品に関する。
【背景技術】
【０００２】
ウェットティシュー、ウェットタオルなど紙や不織布等の基材に薬液を含浸させたウェットシートは、薬液が漏れないように密閉容器に収容されて製品化されている。
従来のウェットシートにおいては、洗浄効果や拭き取り性等の理由より配合されるアルコール類の臭気をマスキングするため、また、単にウェットシートに香り付けするために、薬液中に香料を配合したものがある。
しかし、ウェットシートの使用者のなかには、例えば、肌を清拭した際に多量の香料が肌に付着することを望まない者や強い香りが移ることを望まない者がいる。
従来の薬液中に香料が配合されているウェットシートでは、シートに含まれる薬液量と香りの強さが比例してしまうため、シートを薬液によって十分に浸潤させようとすると、必然的にウェットシートに含まれる香料が多くなり、香りも強くなってしまう。
【先行技術文献】
【特許文献】
【０００３】
【特許文献１】特許４５５６２０９号
【特許文献２】特登４８７０９２５号
【発明の概要】
【発明が解決しようとする課題】
【０００４】
そこで、本発明の主たる課題は、薬液中に香料を配合させることなくウェットシートが香り付けされ、しかも、所望の強さの香りが長期間継続的にウェットシートに付与されるようにしたウェットシート製品を提供することにある。
【課題を解決するための手段】
【０００５】
上記課題を解決した本発明は以下のとおりである。
【０００６】
〔請求項１記載の発明〕
薬液が含浸されたウェットシートを容器内に密閉収容したウェットシート製品であって、
香料を含む基材層及びこの基材層の両面に配置される被覆層を有しそれら被覆層のうち基材層の一方面側の被覆層が基材層中の香料の揮散を抑制する香料弱透過層とされ、他方面側の被覆層が前記香料弱透過層又は基材層中の香料の揮散を防止する香料バリア層とされた、シート状の芳香フィルムが、
前記容器内に前記香料弱透過層が露出された状態に設けられている、
ことを特徴とするウェットシート製品。
【０００７】
〔請求項２記載の発明〕
容器内のウェットシートから離間した位置に芳香フィルムが貼付されている請求項１記載のウェットシート製品。
【０００８】
〔請求項３記載の発明〕
容器が、上面にウェットシートの取り出し口と、その取り出し口を液密に閉じる開閉自在な蓋体とを備え、その蓋体の容器内面側に芳香フィルムが香料弱透過層が容器内に対面するように設けられている、請求項１又は２記載のウェットシート製品。
【０００９】
〔請求項４記載の発明〕
容器が、上面にウェットシートの取り出し口と、その取り出し口を液密に閉じる開閉自在な蓋体とを備えるフィルム包装容器であり、その蓋体が芳香フィルムで形成されかつその蓋体を閉じた際に香料弱透過層が容器内に対面される、請求項１又は２記載のウェットシート製品。
【００１０】
（作用効果）
本発明に係るウェットティシュー製品では、香料を含む基材層の両面に被覆層を設け、その一方を香料弱透過層とし、他方を香料弱透過層又は香料バリア層とした芳香フィルムが、密閉された容器内に香料弱透過層が露出された状態に設けられている。
【００１１】
本発明に係る芳香フィルムは、基材層中の香料が、香料弱透過層を透過して外部に緩やかに揮散される。したがって、本発明に係るウェットティシュー製品では、香料弱透過層から揮散した香料が密閉容器内に拡散し、ウェットティシュー周辺を香気のある雰囲気とし、ウェットティシューに周辺雰囲気から移香されて香り付けがなされる。よって、薬液中に香料を配合させることなくウェットシートに香り付けされるようになる。
【００１２】
また、本発明に係る芳香フィルムは、香料が露出されているようなものと比較して、外部に緩やかに香料が揮散するようになるため、長期にわたって所望の強さの香りを継続的に放つものとすることができる。そして、香料弱透過層のガス透過度や厚みなどの香料の透過性を調整することで香りの強さ及び持続性を容易に調整できる。
【００１３】
したがって、本発明に係るウェットシート製品では、所望の強さの香りが長期間継続的にウェットシートに付与されるものとすることができる。
【００１４】
また、容器内は密閉されているため内圧が高まった状態では、芳香フィルムからの香料の揮散が低下して過度に密閉容器内に香気が充満されることがなく、意図せず強い香りがウェットシートに移ることもない。
【００１５】
さらに、芳香フィルムはシート状であるため、容器の形状に応じて適宜の形状に折曲げ加工したり、適当な大きさに裁断することが容易にでき、容器形状を制限しない利点がある。また、それに付随して芳香フィルムの面積を正確に調整できるため、その表面積による徐放性を正確にコントロールすることも可能となる。
【００１６】
また、密閉容器内に芳香フィルムを設ける場合には、容器内のウェットシートから離間した位置に芳香フィルムが貼付するのが望ましい。芳香フィルムから揮散した香料が直接にウェットシートに付着したて意図せず強い香気がウェットシートに付与されたり、ウェットシートに含浸された薬液によって香料弱透過層表面が被覆されて香料の揮散が意図せず妨げられたりするおそれを低減することができる。
【００１７】
また、本発明に係るウェットシート製品は、容器を、上面にウェットシートの取り出し口と、その取り出し口を液密に閉じる開閉自在な蓋体とを備えるものとして、その蓋体の容器内面側に芳香フィルムを香料弱透過層が容器内に対面するように設けるのが望ましい。  芳香フィルムを貼付しやすく、製造が容易である。
【００１８】
他方、本発明に係る芳香フィルムは、フィルムの一種であるため、容器を、上面にウェットシートの取り出し口と、その取り出し口を液密に閉じる開閉自在な蓋体とを備えるフィルム包装容器として、その蓋体自体を芳香フィルムで形成することができる。この場合には、特に柔軟でコンパクトにできるというフィルム包装の特徴を阻害することなく、薬液中に香料を配合させることなく所望の強さの香りを長期間継続的にウェットシートに付与することができるようになる。
【発明の効果】
【００１９】
以上のとおり、本発明によれば、薬液中に香料を配合させることなくウェットシートが香り付けされ、しかも、所望の強さの香りが長期間継続的にウェットシートに付与されるようにしたウェットシート製品が提供される。
【図面の簡単な説明】
【００２０】
【図１】本発明に係る芳香フィルムの断面図である。
【図２】本発明に係るウェットティシュー製品の第１実施形態を示す図である。
【図３】図２のＩＩ-ＩＩ断面図である。
【図４】本発明に係る芳香フィルムの他の例の断面図である。
【図５】本発明に係るフィルムユニットの例を示す図である。
【図６】本発明に係るウェットティシュー製品の第２実施形態を示す図である。
【図７】本発明に係るウェットティシュー製品の第２実施形態のＶＩ-ＶＩ断面図である。
【発明を実施するための形態】
【００２１】
次いで、本発明の実施の形態を図１〜６を参照しながら以下に詳述する。
本発明に係るウェットシート製品は、下記芳香フィルムから容器内に香料を揮散させるようにする。まず、芳香フィルムについて説明し、その後にウェットシート製品の形態を説明する。
【００２２】
〔芳香フィルムの実施形態〕
本実施形態に係る芳香フィルム１は、図１に示すように、香料を含む基材層１０及びこの基材層１０の両面に接して配置される被覆層１１，１２を有しており、それら被覆層のうちの一方面側の被覆層１１が基材層中の香料の揮散を抑制する香料弱透過層１１とされ、他方面側の被覆層１２が前記香料弱透過層又は基材層中の香料の揮散を防止する香料バリア層１２とされた積層構造を有している。（図１は、一方面側が香料弱透過層１１、他方面側が香料バリア層１２の例を示している）。
【００２３】
基材層１０、香料弱透過層１１及び香料バリア層１２は、必ずしも単層である必要はなく、その機能を阻害しない態様であれば複数層からなる層であってもよい。例えば、香料弱透過層又は香料バリア層の基材層側と反対側面を熱融着性の高い層として、芳香フィルムを対象物に熱融着しやすいようにしてもよい。
【００２４】
本実施形態に係る芳香フィルム１の具体的な層構造例としては、香料弱透過層１１と香料バリア層１２がガス透過性の異なる樹脂製フィルムからなり、基材層１０がこれらを貼り合せるための接着剤層とされている層構造、又は基材層１０、香料弱透過層１１及び香料バリア層１２がすべて樹脂製フィルム層であって、香料弱透過層１１と香料バリア層１２がガス透過性の異なる樹脂製フィルムからなり、基材層１０がこれらの間に位置される香料が含有された樹脂性フィルムからなるものとされている層構造が挙げられる。
【００２５】
本実施形態に係る芳香フィルム１の柔軟性又は剛性は、ウェットシートを収容する容器の形状や設ける位置により適宜、設計することができる。例えば、平面に貼付して容器内に設けるのであればやや剛性の高いもののほうが取り扱いがしやすく、複雑な形状に追従するように設けるのであれば形状追従性を高めるべく柔軟性の高いものとする。芳香フィルム１の剛性、柔軟性は、各層の材質や各層の厚さにより設計することができる。
【００２６】
本実施形態に係る芳香フィルム１の厚みは、１５〜２００μｍであるのが望ましく、より望ましくは４５〜１４５μｍである。１５μｍ未満であると基材層１０、香料弱透過層１１の香料バリア層１２の各機能を有しつつ、形成可能な強度を確保することが困難となる。２００μｍを超えても厚み増加による各層の設計性の向上に乏しく、むしろコスト高になる。なお、ここでの芳香フィルム１のフィルム厚みの測定方法は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定する。この厚みの測定時の荷重は、１２０μｍの際に約７０ｇｆである。なお、厚みは測定を１０回行って得られる平均値とする。
【００２７】
他方、本実施形態に係る芳香フィルム１は、透明であっても、不透明であってもよい。また、香料弱透過層１１及び香料バリア層１２を透明或いは不透明として基材層１０を外部から認識可能にして、基材層１０のみを着色するようにしてもよい。このようにすれば容器のどの位置に芳香フィルム１が設けられているか容易に視認できる。また、基材層１０を着色する場合、基材層中に含まれる香料の低下に応じて変化する変色インキを用いて、香気のインジケーター機能を付与することができる。基材層中に含まれる香料の低下に応じて変化する変色インキとしては、コチニール色素や酸塩基指示薬のように基材層中に含まれる香料の低下による基材層のｐＨ変化に応じて変色するものが例示できる。
【００２８】
（香料弱透過層）
本実施形態に係る芳香フィルム１を構成する香料弱透過層１１は、基材層１０を被覆する層であって基材層１０からの香料を透過させはするものの、その揮散量を抑制して基材層が露出された状態に比して、香気の強さ及び持続性を調整する層である。
この香料弱透過層１１は、酸素の透過度が７００ｃｃ／ｍ2・２４ｈ／ａｔｍ以上、炭酸ガスの透過度が４０００ｃｃ／ｍ2・２４ｈ／ａｔｍ以上である樹脂製フィルム層が望ましい。上記ガスの透過度を有する樹脂製フィルム層であれば、香料を適度に透過させて本発明の効果を発揮させることが可能となる。香料弱透過層１１を形成する樹脂製フィルム層として好適なものは、ポリエチレンフィルム層、ポリスチレンフィルム層、ポリプロピレンフィルム、ポリカーボネートフィルム層が挙げられ、これらの中から用いる香料との関係で適宜選択することができる。
【００２９】
（香料バリア層）
他方、本実施形態に係る芳香フィルム１を構成する香料バリア層１２は、香料の透過が著しく低く実質的に基材層１０からの香気を感じられないようにする層である。
この香料バリア層１２は、保香性に優れる樹脂製フィルム層であり、酸素の透過度が２００ｃｃ／ｍ2・２４ｈ／ａｔｍ未満、炭酸ガスの透過度が９００ｃｃ／ｍ2・２４ｈ／ａｔｍ未満である樹脂製フィルム層が望ましい。上記ガスの透過度を有する樹脂製フィルム層であれば、香料の揮散を好適に防止することが可能となる。  
【００３０】
係る樹脂製フィルム層として好適なものは、ポリエチレンテレフタレートフィルム層、ポリ塩化ビニリデンフィルム層、株式会社クラレ社製のエバールなどのＥＶＯＨ樹脂フィルム層（エチレン−ビニルアルコール共重合体フィルム層）、ＥＶＯＨ樹脂にスチレン系エラストマーを配合した樹脂からなるフィルム層が挙げられ、これらの中から用いる香料との関係で適宜選択することができる。また、香料バリア層１２は、金属箔などの金属シート又はこれを積層したラミネートフィルムで構成することもできる。
【００３１】
（基材層）
本実施形態に係る芳香フィルム１を構成する基材層１０は、香料を含む層である。本実施形態に係る基材層１０としては、香料弱透過層１１及び香料バリア層１２を樹脂製フィルムシートを接着する接着剤層として、或いは、香料弱透過層１１及び香料バリア層１２を構成する樹脂製フィルム層に積層される、香料が練り込まれた樹脂製フィルム層とする態様が例示できる。
【００３２】
基材層１０を接着剤層として形成する場合、その接着基剤は、香料弱透過層１１を構成する樹脂製フィルムと、香料バリア層１２を構成する樹脂製フィルムや金属箔とを剥離不能に接着するものであり、例えば、天然ゴム系粘着剤、天然ゴムラッテクス系粘着剤、アクリル系粘着剤、ホットメルト粘着剤等である。香料弱透過層１１及び香料バリア層１２の基材層１０との接着面が樹脂製フィルムである場合には、特に樹脂製フィルムシートの接着性に優れ、香料の溶解性・分散性にも優れるアクリル系粘着剤が好ましい。
【００３３】
基材層１０を接着剤層として形成する場合、基材層１０は、香料弱透過層１１と香料バリア層１２との間に点在的に或いはパターンをもって存在してもよいが、好ましくは全面に介在されている態様が望ましい。香料弱透過層１１と香料バリア層１２との一体性が高まる。
【００３４】
粘着剤層中における香料の配合割合は、香料の種類・揮発性等により定めることができるが、継続的にほのかに香気を発し、しかもコスト高とならないようにする点から、０．５〜１５ｇ／ｍ2、特に３〜８ｇ／ｍ2であるのがよい。
【００３５】
他方、基材層１０を香料を練り込んだ樹脂製フィルム層として形成する場合、樹脂製フィルム層の基材樹脂としては、スチレンブロックとジエンブロックを有するゴム質ブロック共重合体が望ましい。係るゴム質ブロック共重合体としては、スチレン-ブタジエン共重合体、スチレン-イソプレン共重合体、スチレン-ブタジエン-スチレン共重合体、スチレン-イソプレン-スチレン共重合体、スチレン-イソプレン-ブチレン-スチレン共重合体、スチレン-エチレン-プロプレン-スチレン共重合体、及びこれらの水素添加物が挙げられる。基材樹脂としてこれらを１種又は２種以上組み合わせて用いることができる。
【００３６】
また、基材樹脂は、ゴム質ブロック共重合体に対して、ポリエチレン、ポリプロピレン、ポリエチレン又はポリプロピレンの無水マレイン酸変性物、エチレン-ビニル共重合体を配合したものとしてもよい。
【００３７】
基材層１０を香料を練り込んだ樹脂製フィルム層として形成する場合には、基材樹脂中に１〜５０重量％の香料を配合させることができる。
【００３８】
他方、基材層中に含有させる香料としては、天然系あるいは合成系の既知の香料を用いることができる。具体例としては、レモン油、グレープフルーツ油、ローズマリー油、ペパーミント油、マンダリン油、ライム油、ユズ油、カモミール油、ラベンダー油、ローズ油、スペアミント油等の天然香料；アルコール、ケトン、アルデヒド；リモネン、リナロール、シトロネロール、メントール、ゲラニオール等のテルペン類の合成香料などが挙げられる。これらは単独で用いても、複数を組み合わせて調合香料として用いてもよい。香料の選択は、所望の香調によって決定すればよい。
また、香料は、香気の強さの調整のために適宜ジプロピレングリコール、パラフィンオイル等の鉱物油、ヒマシ油、大豆油の植物油を用いて希釈することができる。
【００３９】
他方、本実施形態に係る基材層の厚みは、５〜１００μｍ、より好ましくは３０〜８０μｍである。この範囲であれば、芳香フィルム全体を過度に厚くすることなく、徐放性の調整を厚みで行えるようになる。
【００４０】
（消臭剤）
また、基材層中には香料とともに、悪臭成分である、トリメチルアミン等の窒素化合物系や、硫化水素、メチルカプタン等の硫黄系化合物を消臭する消臭成分を含有させてもよい。消臭成分は、香料に影響を与えず、香料とともに香料弱透過層１１から外部に揮散して消臭機能を発揮させることが可能な化学的消臭成分が望ましい。化学的消臭成分の具体例としては、ポリフェノール、ポリフェノール誘導体等のポリフェノール系消臭剤が挙げられる。香料と香料の機能を阻害しない消臭成分の組み合わせは公知のなから適宜選択することができる。
【００４１】
（芳香フィルムの製造方法例）
本実施形態に係る芳香フィルム１は、基材層１０、香料弱透過層１１、香料バリア層１２をＴダイ法による共押出法、押し出しラミネート法、ドライラミネート法によって積層構造することができる。各層の厚みは、基材層１０が５〜１００μｍ、香料弱透過層１１が５〜５０μｍ、香料バリア層１２が５〜５０μｍであるのが望ましい。芳香フィルム全体としての成形性、柔軟性を阻害することなく各層の機能を十分に確保できる。なお、各層の具体的な厚みは、徐放性や香りの強さにより適宜変更することができる。
【００４２】
基材層１０を接着剤層として形成する場合には、香料弱透過層１１又は香料バリア層１２に係るフィルムシートを形成した後、ドライラミネート法により、予め香料を配合した接着剤で積層一体化するようにすればよい。
【００４３】
基材層１０を樹脂製フィルム層とする場合には、香料弱透過層１１を形成する樹脂、香料バリア層１２を形成する樹脂、香料を含有させた上記基材樹脂をＴダイ法による共押出法又は押し出しラミネート法により積層一体化することができる。
【００４４】
基材樹脂に香料を含有させるには、予め香料を基材樹脂に混合して混練しておき、これを材料としてフィルム化する方法、押し出し時に香料を圧入する方法が例示できる。
【００４５】
（香りの持続性調整方法）
本実施形態に係る芳香フィルム１における香りの強さ及び香りの持続性の調整は、基材層中の香料の配合割合（香料濃度）、香料弱透過層１０を形成する樹脂製フィルム層の種類の選択及び厚さの調整、さらに香料弱透過層上に部分的に香料が透過しないように目止め部分を設けてもよい。目止め部分を設けることで、香料の持続性や香調を調整できる。目止め部分の形成は、保香性の高い樹脂を部分的に積層すればよい。
さらに、芳香フィルムに穴やスリットを形成して、裁断面やスリット面から基材層を外部に微小に露出させるようにして調整してもよい。
【００４６】
〔ウェットティシュー製品の第１実施形態〕
次いで、本発明のウェットティシュー製品Ｘ１の第１実施形態を図２〜図４を参照しながら説明する。本実施形態のウェットティシュー製品Ｘ１は、ウェットシートを収納するプラスチック素材などを成型した容器３の内面に、上記詳述の芳香フィルム１を配置した形態である。
【００４７】
図示例のウェットシート製品Ｘ１は、容器３が、蓋体２０及び本体３０で構成される円筒型容器であり、この容器内に所定間隔でミシン目線が形成された帯状のウェットシートを巻いてロール状にしたウェットシート体２を収納したものである。
【００４８】
図示の蓋体２０及び本体３０は、ともに一方端面が開放された形状に成形されており、蓋体２０及び本体３０の開口縁部２１,３１をネジ式、嵌合式など既知の連結手段により分離可能に連結して密閉容器を構成している。この構造は、必要に応じて、本体３０から蓋体２０を分離して、内部のウェットシート体２を交換することができる。
【００４９】
他方、蓋体２０は、中央部が容器内面側に円錐台状に凹むように形成されており、その凹部２２の縁に基部２３を有して当該凹部２２の開放上面を開閉自在に閉じる蓋部２５が形成されており、蓋部２５を凹部２２との間には小空間が形成されるようになっている。前記凹部２２の底には、ウェットシートの取り出し口２６となる十字状又は線状の貫通切り込みを有する蓋体２０よりもやや軟質のシリコン樹脂等からなるシート保持具２４が嵌め込まれている。なお、シート保持具２４を別体とせずに凹部底を肉薄に形成して剛性を低めてもよい。
【００５０】
上記の構成の図示のウェットシート製品Ｘ１は、ロール状ウェットシート体２の芯部分からウェットシートＳを引き出し、取り出し口２６を介して外部に引っ張り出すと同時にミシン目線で一枚ずつウェットシートに裁断されて取り出される。特に、図示のウェットシート製品Ｘ１は、シート保持具２４によりウェットシート体２からミシン目線を介してウェットシートＳを切り離した際に、ウェットシート体側の切り離し端部が、取り出し口２６の周縁で保持されて、容器内に沈み込まない。また、凹部２２を設けたことにより小空間に指を入れやすく、シート保持具２４の取り出し口縁に保持された露出するウェットシート体の一部を摘んで引き出しやすい。
【００５１】
他方、本実施形態のウェットシート製品Ｘ１では、容器内に上記詳述の芳香フィルム１を配置する。芳香フィルム１を配置するにあたっては、例えば、図４のように、芳香フィルム１の香料バリア層１２上に粘着剤層１３を設けて、この粘着剤層１３で容器内面に貼付する形態が簡易で望ましい。この場合には、粘着剤１３の粘着強度を調整して、着脱自在に貼付するようにすれば、芳香フィルム１を交換可能にすることができる。
【００５２】
また、芳香フィルム１を配置するにあたっては、香料バリア層１２を介して熱融着や超音波融着により容器内面に融着するようにしてもよい。この場合、香料バリア層１２の表面にポリオレフィン層を設ける等して融着性に優れるもものに設計するのが望ましい。
【００５３】
さらに、芳香フィルム１を配置するにあたっては、プラスチックシートから蓋体２０や本体３０などの容器３を構成する部材を、金型などで熱成形する際に、芳香フィルム１を香料弱透過層１１が容器内面側となるように積層して一体成型して、容器内面の一部又は全体に芳香フィルム１を密着させるようにして配置してもよい。
【００５４】
また、芳香フィルム１を配置するにあたっては、図示はしないが、シート状物を挟み込ませて支持固定する支持部等を容器内に設けて、その支持部に芳香フィルムの小片を挟みこんで支持固定するようにしてもよい。この場合には、基材層の両面に香料弱透過層が形成された芳香フィルムを好適に利用できる。
【００５５】
さらに、芳香フィルムを配置するにあたっては、芳香フィルムをエンジニアリングプラスチック等により形成した適宜の部材に接着するなどして予め芳香フィルムユニットを形成しておき、これを容器内面に適宜固定配置するようにしてよい。例えば、容器をスタックしたり補強したりするために設けられるリブや空間に取り付け可能な形状にフィルムユニットの形状を適宜成形して、容器と着脱自在に一体化できるようにすることができる。
【００５６】
このようなフィルムユニットを用いた形態例としては、図５に示すような、エンジニアリングプラスチックを平板リング状に成形した治具２９の一方面に、上記芳香フィルム１を香料弱透過層１１が露出する態様で接着剤１３で貼付したフィルムユニットを、例えば、図３の容器の凹部２２の底や蓋部２５の裏面に貼付けたり嵌め込んだりして、容器に対してフィルムユニットを介して芳香フィルムを着脱自在に配置する形態が例示できる。
【００５７】
また、芳香フィルムを配置するにあたっては、フィルムの表面積を広くするために芳香フィルムを適宜の折り加工、裁断加工、接着加工して、筒型、渦巻き形、ジグザグ折りなどの適宜の立体形状としてもよい。
【００５８】
他方、容器内における芳香フィルム１の配置位置は、好ましくは、容器内のウェットシートと接触し難い位置である。ウェットシート体２に含浸された薬液が芳香フィルム１の表面に付着することで香料弱透過層１１がマスキングされて香料の揮散性が低下することが防止される。また、ウェットシート体２の一部に芳香フィルム１が接触して、ウェットシートの一部のみ香気が強く付着されることも防止される。
【００５９】
また、芳香フィルム１を容器内面に貼付する態様や支持具に固定する態様で配置する場合には、芳香フィルム１を交換可能にすることができる。この場合、交換がし易い位置に配置するのが望ましい。図示例では、ウェットシート体２との接触し難く、また、芳香フィルム１の交換がし易い好ましい位置として、容器上部の蓋体２０の内周面に芳香フィルム１を貼付している。このような好ましい位置としては、その他に蓋部２５の取り出し口２６に対面する位置（図中Ａ位置）、蓋体内側上面（図中Ｂ位置）等が例示できる。
【００６０】
本実施形態に係るウェットシート製品Ｘ１では、ウェットシート体２の詰め替えが可能であり、また、芳香フィルム１を交換可能にすれば、その容器を半永久的に使用できるものとなる。
【００６１】
なお、本実施形態においては、香料の異なる複数種の芳香フィルムを容器内に配置してもよい。
【００６２】
また、第１実施形態は、容器を円筒型のボトル形状のものを例に説明したが、本発明では容器の形状は円筒形に限定されるものではない。箱形形状等の既知のウェットシート製品用の容器形状とすることができる。また、ウェットシート体２もウェットシートを折畳み重ねて積み上げた束状のものであってもよい。これらは本発明において限定されない。
また、本実施形態に係るウェットシートは、公知のウェットシートを利用することができる。
【００６３】
〔ウェットティシュー製品の第２実施形態〕
次いで、本発明のウェットシート製品の第２実施形態を図６〜図７を参照しながら説明する。本実施形態のウェットシート製品Ｘ２は、上面にウェットシートの取り出し口と、その取り出し口を液密に閉じる開閉自在な蓋体とを備えるフィルム包装容器にウェットシートの束が収められたものであり、特に、その蓋体が上記詳述の芳香フィルムで形成されているとともに、その蓋体を閉じた際に香料弱透過層が容器内に対面されるようになっているものである。
【００６４】
図示例では、折り畳まれた平板状のウェットシートを積み上げたウェットシート束４をピロー包装した形態であり、フィルム包装容器は、上面に楕円形又は角取り四角形の取り出し口４１が形成されたピロー包装本体部４０と、その上面外面に取り付けられた前記取り出し口４１を被覆する蓋体５０とで構成されている。
【００６５】
本実施形態においては、ウェットシート及びそのウェットシートの束４の構成は限定されるものではなく、本発明の効果を阻害しない範囲で、公知のウェットシート及び束形状とすることができる。
【００６６】
ピロー包装本体部４０は、ウェットシート製品の包装に用いられている公知のフィルムで形成することができ、特にその素材は限定されるものではない。
【００６７】
一方、蓋体５０は、芳香フィルム１を取り出し口４１よりもやや大きめに裁断して形成されており、前記取り出し口４１の縁部近傍で一部が上面に剥離不能に強固に接着されて、当該接着部分５１を基端部として、取り出し口４１を開閉自在に封止するようになっている。なお、蓋体５０の取り付け方法は、取り出し口４１を開閉自体に封止できる態様であれば図示の形態に限定されない。
【００６８】
また、蓋体５０には、前記取り出し口４１を閉じた際に取り出し口４１の周縁部に重なる部位に、再剥離再接着可能な粘着部５２が設けられており、蓋体５０を閉じた際には、この粘着部５２によって取り出し口４１の周縁と蓋体５０との間が密着して、容器内が液密に封止されるようになっている。粘着剤は、ホットメルト系、ゴム系、ＥＶＡ系、オレフィン系、ポリエステル系、ポリアミド系、ウレタン系等の既知の材料から適宜選定可能である。
【００６９】
本実施形態のウェットシート製品Ｘ２では、前記蓋体５０を構成するフィルムが上記詳述の芳香フィルム１で形成されており、少なくとも香料弱透過層１１が取り出し口４１側に位置する態様となっている。よって、本実施形態にかかるウェットシート製品Ｘ２では、蓋体５０の取り出し口４１の対面部分から容器内に対して継続的に香気が放たれ、内部に収めたウェットシートの束４に香りを移香させることができる。
【００７０】
なお、蓋体５０を構成する芳香フィルム１は、取り出し口４１に対面する面と反対面が香料バリア層１１であるか香料弱透過層１２であるかは限定されない。外部への香料の揮散を防止したい場合には、香料バリア層１２とすればよい。
【００７１】
また、表裏が香料弱透過層１１の芳香フィルムを用いた場合には、ウェットシート製品Ｘ２の外部へも香気が放たれるものとなる。この場合は、ウェットシート製品Ｘ２を室内空間の芳香機能を有するものとすることができる。例えば、トイレ洗浄用のウェットシートを収納したウェットシート製品のように、トイレ空間に保管されることが多いものであれば、蓋体５０から外部に香気を放つものとすると、保管時にトイレ空間の芳香機能が発揮されるものとなる。
【００７２】
なお、蓋体５０の厚さは各層の厚さ等は、香料の強さと取り付ける本体部の剛性等を考慮して適宜設計すればよい。
【００７３】
また、図示例では、フィルム包装容器がピロー包装の形態であるが、本発明はピロー包装に限定されず、ガゼット包装、四方シール閉じ包装などのウェットシートの公知の包装態様を採ることができる。
【００７４】
〔ウェットティシュー製品のその他の実施形態〕
以上、第１及び第２実施形態を説明したが、本発明の実施形態はこれに限定されない。
【００７５】
本発明のその他の実施形態として、フィルム包装容器の内面に芳香フィルムを配した形態や、第２の実施形態の蓋体を芳香フィルムではないフィルムで形成するとともに、その蓋体の取り出し口に対面する面に、粘着剤等によって芳香フィルムを香料弱透過層が容器内に対面するようにして貼付した形態、第２実施形態のピロー包装本体部を芳香フィルムで形成する形態を挙げることができる。
【符号の説明】
【００７６】
１…芳香フィルム、１０…基材層、１１…香料弱透過層（被覆層）、１２…香料バリア層（被覆層）、１３…粘着剤層、Ｘ１,Ｘ２…ウェットシート製品、Ｓ…ウェットシート、  ２…ウェットシート体、３…容器、２０…蓋体、２１，３１…開口縁部、３０…本体、２２…凹部、２３…基部、２４…シート保持具、２５…蓋部、２６…取り出し口、  Ａ，Ｂ…香料フィルム配置位置、４１…取り出し口、４０…ピロー包装本体部、５０…蓋体、５１…接着部分、５２…粘着部。
【図１】
2014162545.tif 000003
【図２】
2014162545.tif 000004
【図３】
2014162545.tif 000005
【図４】
2014162545.tif 000006
【図５】
2014162545.tif 000007
【図６】
2014162545.tif 000008
【図７】
2014162545.tif 000009